(57)【要約】      （修正有）【課題】制御弁、漏斗、支持台に開設された丸孔の３つの円心が同心になることを利用し、濃度、流量及び時間の制御が加わり、試験結果の精度及び一致性を確保する水はね試験装置を提供する。【解決手段】水はね試験装置は支持台１０と容器２０と制御弁３０と漏斗４０とコントローラ５０とを含み、支持台は定盤１００、定盤に設けられて直立する支柱１１０及び支柱の複数の挟持具で構成され、支柱下部にある第２挟持具１３０が漏斗を挟持し、漏斗が直立して設置され、支柱上部にある第１挟持具１２０が容器を挟持し、容器内に調合された塩化ナトリウム溶液が格納され、容器には制御弁が更に設けられ、制御弁はコントローラと接続され、制御弁の開口部の垂直投影が漏斗の最大直径内に入り、定盤には漏斗と同心の複数丸孔７０が開設される。【選択図】図１
0003224579.tif 000002
【実用新案登録請求の範囲】
【請求項１】
水はね試験装置であって、支持台と容器と制御弁と漏斗とコントローラとを含み、前記支持台が定盤、前記定盤に設けられて直立する支柱及び前記支柱上の少なくとも２個の挟持具で構成され；
第１挟持具は、前記支柱の下部に位置し、前記漏斗を挟持し、かつ前記漏斗が直立して設置され；
第２挟持具は、前記支柱の上部に位置し、前記容器を挟持し、かつ前記容器内に調合された溶液が格納され；
前記容器に制御弁が設けられ、前記制御弁はコントローラと接続され；
前記制御弁の開口部が漏斗の直上に位置し；
前記定盤に前記漏斗と同心の複数丸孔が開設される、
ことを特徴とする、水はね試験装置。
【請求項２】
前記コントローラは、定時継電器であることを特徴とする、請求項１に記載の水はね試験装置。
【請求項３】
前記定時継電器は、前記支柱或いは前記挟持具に取り付けられることを特徴とする、請求項２に記載の水はね試験装置。
【請求項４】
前記制御弁の前記開口部、前記漏斗、前記丸孔の３つの円心が同心になることを特徴とする、請求項１に記載の水はね試験装置。
【請求項５】
前記支柱或いは前記挟持具に直立して取り付けられた標尺を更に含むことを特徴とする、請求項１に記載の水はね試験装置。
【請求項６】
前記容器に取り付けられ、容器内部の溶液内に差し入れられる濃度測定用プローブを更に含むことを特徴とする、請求項１に記載の水はね試験装置。
【考案の詳細な説明】
【技術分野】
【０００１】
本考案は、機械技術分野に関し、特に、水はね試験装置に関する。
【背景技術】
【０００２】
コードレス電気ケトルに対しＩＥＣ  ６０３３５−２−１５とＧＢ  ４７０６．１９−２００８規格の第１５．１０２試験を実施する時、塩化ナトリウム溶液３０ｍｌを２秒以内にコードレスケトルの台座に投入することを求め、検査過程において、試験の再現性が非常に悪いことが判明している。水はねの速度、水はねの部位の違いにより、同一人物の異なる試験或いは異なる人物になると試験結果が全く異なるためで、日常の品質検査（特に監督による抜取検査）の試験結果に対する影響が非常に大きい。現行でも好ましい解決策を提出できる検査機関がなく、上記技術的課題を解決できることを見出し、本考案を完成するに至った。
【考案の概要】
【考案が解決しようとする課題】
【０００３】
本考案の目的は、コードレス電気ケトルの水はね試験の再現性を解決し、試験結果の一致性を保証し、検査精度を高めることにある。
【課題を解決するための手段】
【０００４】
従来技術におけるこれらの課題を解決するため、本考案で提供する技術的解決策としては、水はね試験装置であって、支持台と容器と制御弁と漏斗とコントローラとを含み、前記支持台が定盤、前記定盤に設けられて直立する支柱及び支柱上の少なくとも２個の挟持具で構成され；
第１挟持具は、支柱の下部に位置し、前記漏斗を挟持し、かつ前記漏斗が直立して設置され；
第２挟持具は、支柱の上部に位置し、前記容器を挟持し、かつ前記容器内に調合された溶液が格納され；
前記容器に制御弁が設けられ、前記制御弁はコントローラと接続され；
前記制御弁の開口部が漏斗の直上に位置し；
前記定盤に漏斗と同心の複数丸孔が開設される。
【０００５】
好ましくは、前記コントローラは、定時継電器であり；より好ましくは、前記定時継電器は前記支柱或いは挟持具に取り付けられる。
【０００６】
好ましくは、制御弁の開口部、漏斗、丸孔の３つの円心が同心になる。
【０００７】
好ましくは、水はね試験装置は、標尺を更に含み、前記標尺が前記支柱或いは挟持具に直立して取り付けられる。
【０００８】
好ましくは、水はね試験装置は、濃度測定用プローブを更に含み、前記プローブが前記容器に取り付けられ、かつプローブが容器内部の溶液内に差し入れられる。
【０００９】
前記制御弁の開口部は、漏斗の直上に位置し、すなわち、制御弁の開口部の垂直投影が漏斗の最大円の直径範囲内に入る。
【考案の効果】
【００１０】
従来の検査測定は、基本的に手作業による試験に依存され、試験所のランダム性が大きすぎ、試験の精度を保証できない。従来技術と対比し、本考案の試験装置は、制御弁、漏斗、支持台に開設された丸孔の３つの円心が同心になることを利用し、濃度、流量及び時間の制御が加わり、試験結果の精度及び一致性を確保する。
【図面の簡単な説明】
【００１１】
【図１】図１  本考案に係わる水はね試験装置の一実施例示意図である。
【考案を実施するための形態】
【００１２】
以下、具体的実施例を基に上記解決策について更に説明する。それら実施例があくまでも本考案の技術内容を明らかにするものであって、本考案の範囲はこれら実施例により何ら限定されるものではない。実施例内に用いる実施条件は、メーカの具体的条件によって更に調整でき、明記していない実施条件が通常従来実験中の条件であると理解されるべきである。
【００１３】
図１に示す水はね試験装置は、支持台１０と容器２０と制御弁３０と漏斗４０とコントローラ５０とを含み、前記支持台が定盤１００、前記定盤１００に設けられて直立する支柱１１０及び支柱１１０の第１挟持具１２０と第２挟持具１３０で構成され、支柱１１０下部にある第１挟持具１２０が漏斗４０を挟持し、かつ漏斗４０が直立して設置され、支柱１１０上部にある第２挟持具１３０が容器２０を挟持し、前記容器２０内に調合された塩化ナトリウム溶液が格納され、容器２０に制御弁３０が更に設けられ、制御弁３０がコントローラ５０と電気的に接続され、コントローラ５０が支柱１１０に取り付けられ、かつ制御弁３０の開口部が漏斗４０の直上に位置し、すなわち、制御弁３０の開口部の垂直投影が漏斗４０の最大直径内に入り、かつ定盤１００に漏斗４０と同心の複数丸孔７０が開設され、標尺６０が第１或いは第２挟持具に立てて取り付けられる。
【００１４】
本考案の好ましい実施例において、前記コントローラ５０は、定時継電器であり、或いはタッチ式コントローラとしてもよく、当然当業者が想到できる他の制御装置としてもよい。
【００１５】
本考案の好ましい実施例において、容器２０に濃度測定用プローブが更に取り付けられ、かつプローブが容器内部の溶液内に差し込まれる。
【００１６】
本考案の好ましい実施例において、制御弁３０の開口部の円心、漏斗４０の円心、丸孔７０の円心の三者が同心である。
【産業上の利用可能性】
【００１７】
本考案に係る装置は、容器、制御弁、漏斗、孔をあけた支持台、標尺及びコントローラで構成される。容器は、調合された塩化ナトリウム溶液を格納させるために用いられ、１個の濃度測定用プローブを有し；制御弁は、定時継電器で制御され、開度を調整でき、溶液が設定された時間に均一に漏斗に投入することを保証し；漏斗が標準品であり、規格の要求事項に適合し；漏斗下方の支持台がコードレスケトルの台座を支えるために用いられ、支持台に漏斗と同心の複数の丸孔が開設され、最大円がサンプルのサイズより大きく、その一方でコードレスケトルの台座と漏斗が同軸になるよう保証でき、他方ではその後の耐圧試験のため、滴下した溶液を円形の開口部から排出させることで、溶液を集めて試験結果に影響を与えることなく；コントローラは、溶液濃度試験、時間及び流量の制御を実現できる。
【００１８】
本考案では好ましい実施例を前述の通り開示したが、これらは決して本考案に限定するものではなく、当該技術を熟知する者なら誰でも、本考案の原理を脱しない範囲内で各種の改善や置換を加えることができ、従って本考案の保護範囲に網羅することを見なされる。
【符号の説明】
【００１９】
１０  支持台
１００  定盤
１１０  支柱
１２０  第１挟持具
１３０  第２挟持具
２０  容器
３０  制御弁
４０  漏斗
５０  コントローラ
６０  標尺
７０  丸孔
【図１】
0003224579.tif 000003